(57)【要約】【課題】センサの検出結果に応じて表示画面を異ならせ、操作画面に有効な操作ボタンを容易に知ることができるようにして、画面操作の操作性を高める。【解決手段】各種の操作ボタンが設けられており、ディスプレイ装置で監視カメラからの映像情報を表わす映像画面３７の表示状態でメニューボタン８を操作すると、メニュー画面３８が、ナビボタン４を操作すると、ハードディスク装置で映像情報のサーチ方法を選択できるサーチ方法選択画面４０が表示される。また、センサが異常を検出したときには、映像画面３７の表示状態でナビボタン４を操作すると、センサの異常検出によるアラーム画面４２が、または、停電を検出したことによるアラーム画面４３が表示され、警報装置の停止操作などを可能にする。また、画面３８，４０，４２，４３には、操作ボタン画像表示領域３９が設けられ、これにその画面に操作可能な操作ボタンの画像が表示される。【選択図】        図１
2004242184.tif 000002
【特許請求の範囲】
【請求項１】
センサと監視カメラとディスプレイ装置が接続され、該監視カメラからの映像情報を該ディスプレイ装置に表示させるとともに、該センサの異常検出に伴って該監視カメラからの映像情報を内蔵の記録装置に記録する監視用記録再生装置において、
該センサが検知する状況に応じた選択項目を有する選択画面を該ディスプレイ装置に表示させる操作ボタンを設けたことを特徴とする監視用記録再生装置。
【請求項２】
請求項１において、
前記センサが異常な状況を検出したときには、前記ディスプレイ装置の表示状態に拘らず、検出される該異常な状況に応じた選択項目を有する前記選択画面を前記ディスプレイ装置に表示させる機能を前記操作ボタンに付与する手段を有することを特徴とする監視用記録再生装置。
【請求項３】
請求項１または２において、
前記選択画面に操作ボタン画像表示領域が設けられ、該操作ボタン画像表示領域に前記選択画面での操作に必要な操作ボタンを表わす操作ボタン画像を表示することを特徴とする監視用記録再生装置。
【請求項４】
請求項３において、
前記ディスプレイ装置に前記選択画面が表示されるときには、前記選択画面での選択項目を選択する操作機能が付与され、前記ディスプレイ装置に前記記録装置から再生される映像情報を表わす再生画面が表示されるときには、該映像情報の再生モードを異ならせる機能が付与されるシャトルとジョグとが設けられており、
前記選択画面の前記操作ボタン画像表示領域に該シャトルと該ジョグとの画像が表示されるとともに、該再生画面では、該シャトルと該ジョグとの画像が表わされた操作ボタン画像表示領域が表示されることを特徴とする監視用記録再生装置。
【請求項５】
請求項４において、
前記選択画面と前記再生画面とで、前記操作ボタン画像表示領域での前記シャトル及び前記ジョグの画像の表示形態を異ならせることを特徴とする監視用記録再生装置。
【請求項６】
請求項４または５において、
前記選択画面では、前記シャトルに前記選択画面に設けられた各選択項目を選択するための操作機能が付与され、前記ジョグに前記シャトルの操作によって選択された該選択項目の内容を変化させる操作機能が付与されることを特徴とする監視用記録再生装置。
【請求項７】
請求項６において、
前記シャトルの操作によってカーソルが移動して２以上の前記選択項目を順次選択した状態とし、
前記ジョグの操作によって内容が変化する前記選択項目とこれ以外の前記選択項目とで該カーソルの表示形態が異なることを特徴とする監視用記録再生装置。
【発明の詳細な説明】
【０００１】
【発明の属する技術分野】
本発明は、施設内などの監視を行なうビデオカメラ（監視カメラ）からの映像情報を記録し、再生する監視カメラ用記録再生装置に関する。
【０００２】
【従来の技術】
施設内の監視装置として、ビデオカメラを用いたものが知られている（例えば、特許文献１参照）。
【０００３】
この監視装置は、複数台のカメラやセンサ，モニタ，記憶装置などによって構成されており、複数台のカメラやセンサを監視する所定の場所に配置されている。通常、これらカメラのうちのセレクタで選択されたカメラの画像がモニタで表示されている。センサが異常を検出すると、この異常が発生した場所に設置されているカメラが撮像する映像がセレクタで選択され、モニタに供給されるとともに記憶手段に記憶される。この記憶手段に記憶された映像は、ユーザの操作により、再生したり、編集したりすることができる。
【０００４】
このように、映像を記録再生する装置では、ユーザが操作するために、各種の操作ボタンが使用可能に設けられている。その一例として、録画した映像の内容を短時間で正しく確認し、即座に必要な映像の再生を可能とした映像録画装置が提案されている（例えば、特許文献２参照）。
【０００５】
これは、ナビボタンを設け、これを操作することにより、録画されている各映像の代表画面の一覧を表示するようにしたものであり、この一覧の中の所望とする代表画面を選択すると、この代表画面で代表される映像が再生されるものである。
【０００６】
【特許文献１】
特開２００１ー１４８０１号公報
【０００７】
【特許文献２】
特開平１０ー７９９１６号公報
【０００８】
【発明が解決しようとする課題】
上記特許文献１に記載の技術に特許文献２に記載のナビボタンとその機能動作を付加することにより、記憶手段に記憶された異常検出時の映像の中から所望とする映像を短時間で確認でき、必要な映像を即座に再生することができるものである。
【０００９】
しかしながら、監視装置の記録再生装置としては、映像の記録再生ばかりでなく、監視装置の各部の設定や異常が検出された場合の処置のための操作など、種々の操作が必要であるし、また、発生した異常の種類に応じても、それに対する操作が異なる場合がある。このようなことにユーザ（監視者）が対応できるためには、ある程度の熟練が必要となるし、また、異常発生に対して緊急を要する場合には、取り扱い説明書をみて操作手順などを探すなどの作業が強いられる場合もある。
【００１０】
本発明の目的は、かかる問題を解消し、センサの検出結果に応じて表示画面を異ならせ、操作画面に有効な操作ボタンを容易に知ることができるようにして、画面操作の操作性を高める監視用記録再生装置を提供することにある。
【００１１】
【課題を解決するための手段】
上記目的を達成するために、本発明は、センサと監視カメラとディスプレイ装置が接続され、監視カメラからの映像情報を該ディスプレイ装置に表示させるとともに、センサの異常検出に伴って監視カメラからの映像情報を内蔵の記録装置に記録する監視用記録再生装置であって、センサが検知する状況に応じた選択項目を有する選択画面をディスプレイ装置に表示させる操作ボタンを設けたものである。
【００１２】
また、センサが異常な状況を検出したときには、ディスプレイ装置の表示状態に拘らず、検出される異常な状況に応じた選択項目を有する選択画面をディスプレイ装置に表示させる機能を操作ボタンに付与する手段を有するものである。
【００１３】
さらに、選択画面に操作ボタン画像表示領域が設けられ、この操作ボタン画像表示領域に選択画面での操作に必要な操作ボタンを表わす操作ボタン画像を表示するようにしたものである。
【００１４】
さらに、ディスプレイ装置に選択画面が表示されるときには、この選択画面での選択項目を選択する操作機能が付与され、ディスプレイ装置に記録装置から再生される映像情報を表わす再生画面が表示されるときには、この映像情報の再生モードを異ならせる機能が付与されるシャトルとジョグとが設けられており、選択画面の操作ボタン画像表示領域にシャトルとジョグとの画像が表示されるとともに、再生画面では、シャトルとジョグとの画像が表わされた操作ボタン画像表示領域が表示されるものである。
【００１５】
さらに、選択画面と再生画面とで、操作ボタン画像表示領域でのシャトル及びジョグの画像の表示形態を異ならせるようにしたものである。
【００１６】
さらに、選択画面では、シャトルに選択画面に設けられた各選択項目を選択するための操作機能が付与され、ジョグにシャトルも操作によって選択された選択項目の内容を変化させる操作機能が付与されるようにしたものである。
【００１７】
さらに、シャトルの操作によってカーソルが移動して２以上の選択項目を順次選択した状態とし、ジョグの操作によって内容が変化する選択項目とこれ以外の選択項目とでカーソルの表示形態が異なるものである。
【００１８】
【発明の実施の形態】
以下、本発明の実施形態を図面を用いて説明する。
図１は本発明による監視用記録再生装置の一実施形態を示す外観図であって、１は監視用記録再生装置の装置本体、１ａは前面部、１ｂは背面部、２はシャトル、３はジョグ、４は「ナビ」ボタン、５は「検索」ボタン、６は「戻る」ボタン、７は「決定」ボタン、８は「メニュー」ボタン、９は「再生」ボタン、１０は「一時停止」ボタン、１１は「録画」ボタン、１２は「停止」ボタン、１３〜１６は「カメラ」ボタン、１７は「フル／マルチ」切替ボタン、１８は「画面表示自動切替」ボタン、１９はカード取出ボタン、２０はカードスロット、２１は表示部、２１ａはアラーム用ＬＥＤ（Ｌｉｇｈｔ  Ｅｍｉｔｔｉｎｇ  Ｄｉｏｄｅ）、２２はハードディスク挿入口、２３は映像／音声端子である。
【００１９】
同図において、装置本体１の前面部１ａには、各種操作ボタンからなる操作部などが設けられている。即ち、この前面部１ａの右端部に回転操作がなされるシャトル２とジョグ３とが同軸状に設けられており、その周りに「ナビ」ボタン４や「検索」ボタン５，「戻る」ボタン６，「決定」ボタン７，「メニュー」ボタン８が配置されている。これら操作ボタン２〜８の機能については、後に説明する。これら操作ボタン２〜８の左側に縦列に、内蔵の記録部を操作するための「再生」ボタン９，「一時停止」ボタン１０，「録画」ボタン１１及び「停止」ボタン１２が設けられている。
【００２０】
また、前面部１ａの上辺側の操作ボタン９〜１２の左側に、この装置本体１に接続される監視用カメラ（図示せず）の後述するフルモードでのオン，オフ操作のための４個の「カメラ」ボタン１３〜１６と、この装置本体１に接続されるディスプレイ装置（図示せず）での記録映像の表示方法を切り替えるための「フル／マルチ」切替ボタン１７と、上記監視用カメラの映像を上記ディスプレイ装置で自動的に順次切り替え表示させるための画面表示自動切替ボタン１８と、ＰＣカードや通信カードなどのカードを挿入するためのカードスロット２０と、このカードスロット２０からカードを取り出すためのカード取出ボタン１９とが前面部１ａの上辺に沿って横列に配置されている。
【００２１】
さらに、これら操作ボタン１３〜１９やカードスロット２０の下側に、ハードディスク（図示せず）の出し入れを行なうためのハードディスク挿入口２２や、ＶＴＲ（ビデオテープレコーダ）やディスプレイ装置，カメラといった機器を接続できる映像／音声端子２３が設けられている。
【００２２】
さらに、図示しないが、装置本体１の背面部１ｂには、複数台の監視カメラ用の接続端子（映像／音声端子）やディスプレイ装置用の接続端子（映像／音声端子），マイクロホン用の接続端子，センサ用の接続端子とが設けられており、これらにより、装置本体１に複数台（以下では、４台として説明するが、これに限るものではない）の監視用カメラとディスプレイ装置とマイクロホンとセンサとが接続されている。
【００２３】
図２は図１に示す装置本体１内の回路構成を概略的に示すブロック図であって、２４はＣＰＵ（Ｃｅｎｔｒａｌ  Ｐｒｏｃｅｓｓｉｎｇ  Ｕｎｉｔ）、２５は入力部、２６は内蔵メモリ、２７は信号入出力部、２８はスピーカ、２９はハードディスク装置であり、図１に対応する部分には同一符号をつけている。
【００２４】
同図において、入力部２５は図１における各操作ボタンからなるものである。ＣＰＵ２４は、この入力部２５からの入力に基づいて、各部の制御を行なう。信号入出力部２７は装置本体１の夫々の接続端子を備えたものであって、これに監視用カメラやディスプレイ装置，マイクロホン，センサなどが接続される。ハードディスク装置２９は信号入出力部２７に接続された監視用カメラからの映像信号やマイクロホンからの音声信号を夫々映像／音声情報として記録するものであって、ここでは、これら信号を処理する信号処理部を省略している。スピーカ２８は監視用のブザーとして機能するものであり、信号入出力部２７に接続されたセンサからの異常検出出力に応じて作動する。ハードディスク装置２９に記録された映像／音声情報は、入力部２５の操作に応じて、読み出され、カードスロット２０に装着されているＰＣカードに転写することができる。
【００２５】
なお、さらに、通信手段を設けることもでき、カードスロット２０に通信カードを装着し、入力部で所定の操作をすることにより、外部の図示しない装置との間で通信を行なうようにすることもできる。これにより、ハードディスク装置２９に記録されている映像／音声情報をかかる装置に伝送することができる。
【００２６】
図３は図１に示す記録再生装置を用いた監視装置の一具体例を示す構成図であり、３０〜３３は監視カメラ、３４はディスプレイ装置、３５はセンサである。
【００２７】
同図において、装置本体１に４台の監視カメラ３０〜３３，ディスプレイ装置３４及びセンサ３５を取り付けることにより、監視装置が構成される。これら監視カメラ３０〜３３は、装置本体１の電源ボタン（図示せず）がオンされるとともに、撮影動作を開始する。また、これら監視カメラ３０〜３３は夫々、装置本体１の「カメラ」ボタン１３〜１６に一対一で対応しており、「カメラ」ボタン１３〜１６は、後述するフルモードが設定されているとき、その１つをオンすると（これにより、これまでオンであった「カメラ」ボタンはオフになる）、これに対応する監視カメラの映像がディスプレイ装置３４で表示される。
【００２８】
装置本体１は監視室（図示せず）に配置され、監視カメラ３０〜３３やセンサ３５は監視対象が存在する場所に設置される。例えば、ドアの開閉を監視する場合には、これら監視カメラ３０〜３３がこのドアの周りに設置され、このドアの領域（監視対象領域）を異なる方向から監視する。センサ３５は、このドアが不当に（例えば、時間外に）開けられると、これを異常として検出し、その検出結果を装置本体１に送る（これを、以下、アラーム入力という）。装置本体１は、この検出結果を受けると、監視カメラ３０〜３３を起動させ、これらが監視対象領域を撮影開始する。これら監視カメラ３０〜３３からの撮影による映像信号は装置本体１に供給され、所定の処理がなされてハードディスク装置２９（図２）に記録される。各監視カメラ３０〜３３からの映像信号は、例えば、複数フィールド（フレームであってもよい。以下同様）毎に１フィールドずつ抽出されて記録されるスキップ記録が行なわれる。また、この際、ＣＰＵ２４（図２）は、スピーカ２８（図２）を稼働させてブザー音を発生させるとともに、ＬＥＤ２１ａ（図１）も点滅させる。
【００２９】
なお、各監視カメラ３０〜３３からの映像信号は、例えば、デジタル信号に変換された後にＭＰＥＧ（Ｍｏｔｉｏｎ  Ｐｉｃｔｕｒｅ  Ｅｘｐｅｒｔ  Ｇｒｏｕｐ）規格に基づいて圧縮され、多重されてハードディスク装置２９に記録される。また、操作部２５（図２）の「再生」ボタン９（図１）の操作により、ハードディスク装置２９からかかる映像信号が再生され、ＭＰＥＧ規格に基づいて伸長処理などの処理がなされてディスプレイ装置３４に供給され、画像表示される。
【００３０】
なお、この場合、ハードディスク装置２９には、映像信号がスキップ記録されているので、これを利用して、実際に記録された各フィールドの画像を続けて順番に再生するようにする（連続再生）こともできるし、また、記録時に除かれた各フィールドの期間を実際に記録されたフィールドの映像で繰り返し補充して再生する（実時間再生）ようにすることもできる。さらに、実時間再生方法と連続再生方法との間の再生方法として、実際に記録されたフィールドの映像で補充されるフィールドの数を記録時に除かれたフィールドの数と異ならせることにより、実時間再生とは異なる速度で画像再生（高速再生。補充されるフィールドの数を可変とすると、可変速再生となる）を行なうようにすることもできるし、さらには、手動操作により、ハードディスク装置２９から１フィールドずつ映像を再生してディスプレイ装置３４で表示させるコマ送り再生を行なわせることもできるし、その再生方向を過去の方向に向かわせる逆コマ送り再生を行なわせることもできる。
【００３１】
監視カメラ３０〜３３からの映像信号は、また、ディスプレイ装置３４にも供給させることができ、これにより、監視対象領域の映像がディスプレイ装置３４に表示される。この場合、「フル／マルチ」切替ボタン１７を操作することにより、マルチモードが設定されると、図４（ａ）に示すように、ディスプレイ装置３４の表示画面が４等分され、これによる領域３６ａに監視カメラ３０による映像が、領域３６ｂに監視カメラ３１による映像が、領域３６ｃに監視カメラ３２による映像が、領域３６ｄに監視カメラ３３による映像が夫々表示される。また、フルモードが設定されたときには、図４（ｂ）に示すように、ディスプレイ装置３４の表示画面全体に監視カメラ３０〜３３のうちの選択された監視カメラからの映像が表示される。この監視カメラ３０〜３３のかかる選択は、装置本体１での「カメラ」ボタン１３〜１６によって行なわれる。従って、「カメラ」ボタン１３〜１６を操作することにより、所望とする監視カメラの映像がディスプレイ装置３４で表示される。さらに、装置本体１での画面表示自動切替ボタン１８（図１）をオン操作すると、監視カメラ３０〜３３の映像が所定の期間毎に切り替わってディスプレイ装置３４に表示され、かかる表示が繰り返される。このことは、ハードディスク装置から再生する場合も同様であり、また、カードスロット２０（図１，図２）に装着されたＰＣカードからも、これに記録されている映像／音声情報を再生することができるが、この場合も同様である。
【００３２】
なお、装置本体１における操作ボタン９〜１２は、ハードディスク装置２９に対して録画／再生操作されるものであるが、カードスロット２０にＰＣカードが装着されているときには、後述する所定の操作により、このＰＣカードの記録，再生にも機能する。
【００３３】
次に、この実施形態の動作について説明する。
【００３４】
図５はこの動作の一具体例を示すフローチャートである。また、図６はかかる動作の過程でディスプレイ装置３４に表示される画面の一具体例を示すものである。
【００３５】
監視装置（図３）が動作し、異常が発生しない通常の状態では、図６（ａ）に示すように、ディスプレイ装置３４に監視カメラ３０〜３３からの映像の映像画面３７が表示される。ここでは、「フル／マルチ」切替ボタン１７によってマルチモードが設定されているものとしており、映像画面３７には、図４（ａ）に示すように、監視カメラ３０〜３３全ての映像が分割領域３７ａ〜３７ｄ毎に別々に表示されている。勿論、「フル／マルチ」切替ボタン１７によってフルモードが設定されているときには、図４（ｂ）に示すように、監視カメラ３０〜３３（図３）のうちの「カメラ」ボタン１３〜１６（図１）のいずれかで選択されている監視カメラからの映像が映像画面３７に表示されることになる。
【００３６】
この状態で「メニュー」ボタン８（図１）が操作されると、図６（ｂ）に示すようなメニュー画面３８がディスプレイ装置３４に表示される。このメニュー画面３８は、例えば、「一般設定」，「アラーム設定」，「ハードディスク」，「ＰＣカード」，「モードロック／解除」などの選択項目が設けられた選択画面である。かかる項目の選択決定は、シャトル２もしくはジョグ３と「決定」ボタン７（図１）との操作によって行なわれる。内容が判らない項目がある場合には、「ナビ」ボタン４（図１）を操作することにより、図６（ｄ）に示すようなヘルプ画面４１がディスプレイ装置３４で表示され、このヘルプ画面４１で各項目の内容を知ることができる。判らなかった項目の内容が判って「戻る」ボタン６を操作すると、図６（ｂ）に示すメニュー画面３８に戻る。
【００３７】
また、メニュー画面３８やヘルプ画面４１には、それらの下辺部側に操作ボタン画像表示領域３９が設けられており、この操作ボタン画像表示領域３９にシャトル２や「決定」ボタン７などのメニュー画面３８やヘルプ画面４１で操作に必要な図１に示す操作ボタンの画像（図示せず）が表示されている。このため、操作者はこの操作ボタン画像表示領域３９での表示内容からこのメニュー画面３８やヘルプ画面４１で使用できる操作ボタンを知ることができるし、実行したい画面操作のための操作ボタンを容易に判断でき、装置本体１の操作部から希望する操作ボタンを探し出すことができる。
【００３８】
図６（ａ）に示す映像画面３７の表示状態で「ナビ」ボタン４（図１）が操作されると、ハードディスク装置２９（図２）での記録情報のサーチ方法を決めるための図６（ｃ）に示すようなサーチ方法選択画面４０がディスプレイ装置３４に表示される。このサーチ方法選択画面４０は、例えば、「日時入力サーチ」，「時分割サーチ」，「アラームサーチ」などの選択項目が設けられた選択画面である。かかる項目の選択決定も、シャトル２もしくはジョグ３と「決定」ボタン７（図１）との操作によって行なわれる。内容が判らない項目がある場合には、さらに「ナビ」ボタン４（図１）を操作することにより、図６（ｄ）に示すようなヘルプ画面４１がディスプレイ装置３４で表示され、このヘルプ画面４１で各項目の内容を知ることができる。判らなかった項目の内容が判って「戻る」ボタン６を操作すると、図６（ｃ）に示すサーチ方法選択画面４０に戻る。
【００３９】
また、サーチ方法選択画面４０には、その下辺部側に操作ボタン画像表示領域３９が設けられており、この操作ボタン画像表示領域３９にシャトル２や「決定」ボタン７などのこのサーチ方法選択画面４０で操作に必要な図１に示す操作ボタンの画像（図示せず）が表示されている。このため、操作者はこの操作ボタン画像表示領域３９での表示内容からこのサーチ方法選択画面４０で使用できる操作ボタンを知ることができるし、実行したい画面操作のための操作ボタンを容易に判断でき、装置本体１の操作部から希望する操作ボタンを探し出すことができる。
【００４０】
一方、図５において、センサ３５は監視対象領域を監視しており（ステップ１００）、センサ３５が異常を検出しないときには、図６（ａ）〜（ｄ）で説明した表示がディスプレイ装置３４で行なわれる。その後、センサ３５が異常を検出してＣＰＵ２４（図２）にアラーム入力があると（ステップ１００）、監視カメラ３０〜３３（図３）からの映像信号がこのアラーム入力時の日時情報とともにハードディスク装置２９（図２）へ記録され始め、スピーカ２８（図２）がブザー音を発生するとともに、ＬＥＤ２１ａが点滅する（ステップ１０１）。
【００４１】
ここで、ハードディスク装置２９は、アラーム入力があると、ＣＰＵ２４の制御の下に、監視カメラ３０〜３３からの映像情報を記録開始する。あるいはまた、このアラーム入力の時点よりも前からかかる映像信号を記録するようにしてもよい。この場合には、後述するように設定された記録時間ｔＲよりも若干長い時間（ｔＲ＋Δｔ）、記録領域のうちのこの時間（ｔＲ＋Δｔ）に相当する容量の記録領域で常時監視カメラ３０〜３３からの映像情報の記録を繰り返しており、ＣＰＵ２４は、アラーム入力を受けると、この時点からこの設定記録時間ｔＲの経過後記録停止信号を発生するようにし、この記録停止信号によってハードディスク装置がこの記録領域での記録を中止し、次の記録領域での記録に移るようにする。これにより、アラーム入力よりも時間Δｔ前からの記録がハードディスク装置２９に残ることになる。
【００４２】
そこで、監視者が「ナビ」ボタン４を操作すると（ステップ１０２）、ＣＰＵ２４はこの「ナビ」ボタン４が操作された時点での状態を判断し（ステップ１０３）、この判断結果に応じた選択項目を備えた選択画面を検索する（ステップ１０４）。この場合の判断される状態としては、ここでは、監視対象領域でドアが開けられる（監視中であるので、ドアが開けられるのは異常である）などして実際に異常が検出された状態と停電となったこととする（故意に電源が切られた場合も想定される。停電となったときには、停電が解除されたときにＣＰＵ２４がセンサ３５の検出結果から異常が発生したと認識し、ＬＥＤ２１ａやスピーカ２８を動作させる）。
【００４３】
センサ３５の異常検出によってＣＰＵ２４にアラーム入力があった場合には、ＣＰＵ２４は、ステップ１０４の検索により、ディスプレイ装置３４での表示を図６（ｅ）に示すようなアラーム画面４２に切り替える（ステップ１０５）。このアラーム画面４２は、ブザー音を停めるための「ブザー停止」，ＬＥＤ２１ａを消すための「ＬＥＤ消灯」，ハードディスク装置２９に記録されている今回のアラーム入力に伴う記録情報を再生するための「アラームサーチ」及びアラーム入力時でのディスプレイ装置３４での画面表示を監視カメラ３０〜３３からの映像を自動的に順次切り替え表示するモードを設定可能とした「アラーム保留入／切」などの選択項目が設けられた選択画面である。
【００４４】
かかる項目の選択はシャトル２（図１）の操作によって行なわれ、この操作で図示しないカーソルを「ブザー停止」の項目に合わせることによってこの項目が選択され、次いで、「決定」ボタン７を操作することにより、スピーカ２８（図２）からのブザー音の発生が停止する。同様にして、シャトル２の操作でカーソルを「ＬＥＤ消灯」の項目に一致させることによってこの項目を選択し、次いで、「決定」ボタン７を操作することにより、ＬＥＤ２１ａ（図１）の点滅が停止する。なお、アラーム入力時にブザー音を発生させたり、ＬＥＤ２１ａを点滅させたりするモードは、図６（ｂ）に示すメニュー画面３８での「アラーム設定」の項目によって設定されるものであり、この設定が解除されない限り、アラーム画面４２（図６（ｆ）に示すアラーム画面４３についても同様）でブザー停止，ＬＥＤ２１ａの消灯が設定されても、次のアラーム入力では、ブザー音が発生し、ＬＥＤ２１ａが点滅して警報を発する。
【００４５】
また、アラーム入力時の監視カメラ３０〜３３からの映像の表示方法を自動切替にするか、１つの監視カメラからの映像を表示させるようにするかの選択は、カーソルを「アラーム保留入／切」の項目に合わせ、「決定」ボタン７を操作することによって可能である。かかる選択決定により、現時点で自動切替のモードにあれば、１つの監視カメラからの映像を表示させるモードに切り替わり、現時点で１つの監視カメラからの映像を表示させるモードにあれば、自動切替のモードに切り替わる。
【００４６】
ディスプレイ装置２９での表示を監視カメラ３０〜３３からの映像の表示（即ち、映像画面３７）に切り替えるためには、「戻る」ボタン６（図１）を操作すればよい。これにより、「戻る」ボタン６を操作する前であれば、同じアラーム画面４２上でブザーの停止とＬＥＤ２１ａの消灯と監視カメラの自動切替の設定とを行なわせることができる。
【００４７】
また、アラーム画面４２において、シャトル２を操作してカーソルを「アラームサーチ」の項目に一致させることによってこの項目を選択し、「決定」ボタン７を操作すると、ハードディスク装置２９から今回のアラーム入力による記録情報が再生される。この「アラームサーチ」の項目のかかる選択決定がなされたときには、自動的にディスプレイ装置３４での表示がハードディスク装置２９からのかかる再生映像の表示に切り替わる。
【００４８】
なお、アラーム画面４２には、その下辺部側に操作ボタン画像表示領域３９が設けられており、この操作ボタン画像表示領域３９にこのアラーム画面４２で操作に必要な図１に示す操作ボタンの画像（図示せず）が表示されている。このため、操作者はこの操作ボタン画像表示領域３９での表示内容からこのアラーム画面４２で使用できる操作ボタンを知ることができるし、実行したい画面操作のための操作ボタンを容易に判断でき、装置本体１の操作部から希望する操作ボタンを探し出すことができる。
【００４９】
図５において、停電があった場合も、この停電が解除されると、これをセンサ３５（図３）が検知し、ＣＰＵ２４（図２）にアラーム入力がある（ステップ１００）。これにより、ＣＰＵ２４はスピーカ２８（図２）からブザー音を発生させ、ＬＥＤ２１ａ（図１）を点滅させる（ステップ１０１）。かかる状態で操作者が「ナビ」ボタン４を操作すると（ステップ１０２）、ＣＰＵ２４は現時点の状態が停電によってアラーム入力があった状態と判断して（ステップ１０３）、これに対応する選択画面を検索し（ステップ１０４）、ディスプレイ装置３４に図６（ｆ）に示すようなアラーム画面４３を表示させる（ステップ１０５）。このアラーム画面４３は、「ブサー停止」と「ＬＥＤ消灯」の選択項目が設けられた選択画面であり、図６（ｅ）に示したアラーム画面４２と同様に、スピーカ２８からのブザー音の発生を停止させたり、ＬＥＤ２１ａを消灯させることができる。この場合も、「戻る」ボタン６を操作することにより、図６（ａ）に示すような監視カメラ３０〜３３からの映像の表示状態に切り替えることができる。
【００５０】
「ナビ」ボタン４の押下により、センサ３５が検出する状況に応じた選択項目を表わす選択画面を表示することにより、操作者は異常発生時や緊急時などの操作方法を容易に把握することができ、適切な処理を素早くかつ確実に行なうことができる。
【００５１】
なお、このアラーム画面４３には、その下辺部側に操作ボタン画像表示領域３９が設けられており、この操作ボタン画像表示領域３９にこのアラーム画面４３で操作に必要な図１に示す操作ボタンの画像（図示せず）が表示されている。このため、操作者はこの操作ボタン画像表示領域３９での表示内容からこのアラーム画面４３で使用できる操作ボタンを知ることができるし、実行したい画面操作のための操作ボタンを容易に判断でき、装置本体１の操作部から希望する操作ボタンを探し出すことができる。
【００５２】
また、アラーム画面４２，４３の表示状態で再度「ナビ」ボタン４を操作すると、図６（ｄ）で示すようなこれらアラーム画面４２，４３の夫々の項目を説明したヘルブ画面が表示され、「戻る」ボタン６を操作することにより、アラーム画面４２，４３の表示状態に戻る。
【００５３】
装置本体１の前面部１ａの操作部（図１）の操作により、以上の動作が行なわれるものであるが、この操作をより容易にするために、この実施形態では、ディスプレイ装置３４において、上記のように、現時点で表示されている図６に示すような画面やその他の画面に対して使用される操作ボタン（シャトル２やジョグ３も含む。以下、同様）を指示する画像を表示した操作ボタン画像表示領域３９が設けられるが、以下、この点について説明する。
【００５４】
図７（ａ）は図６（ｂ）に示すメニュー画面３８であって、これに設けられた項目、即ち、「一般設定」，「アラーム設定」，「ハードディスク」，「ＰＣカード」，「モードロック／解除」の各項目のうちのいずれが１つにカーソル４４ａが合わされており、これが選択された状態にある。このカーソル４４ａは黒ベタのカーソルであって、項目が白抜きで表示される。デフォルトとして、このカーソル４４ａは先頭の項目（ここでは、「一般設定」の項目）に合わされており、図７（ａ）はこの状態を示している。
【００５５】
かかるメニュー画面３８での操作には、カーソル４４ａを移動させるためのシャトル２と、選択された項目の決定を行なうための「決定」ボタン７と、画面を１つ前に戻す（この場合には、図６（ａ）に示す映像画面３７に戻すことになる）ための「戻る」ボタン６と、メニュー画面３８を終了させるための「メニュー」ボタン８と、ヘルプ画面４１（図６（ｄ））を表示させるための「ナビ」ボタン４が使用可能となるものであるが、これに使用可能なかかる操作ボタンの画像がメニュー画面３８の、例えば、下辺部に設けられた操作ボタン画像表示領域３９に表示される。即ち、図示するように、シャトル画像２ａと「決定」ボタン画像７ａと「戻る」ボタン画像６ａと「メニュー」ボタン画像８ａと「ナビ」ボタン画像４ａとが表示される。
【００５６】
そして、「決定」ボタン画像７ａと「戻る」ボタン画像６ａと「メニュー」ボタン画像８ａと「ナビ」ボタン画像４ａとの夫々は、「決定」ボタン７，「戻る」ボタン６，「メニュー」ボタン８，「ナビ」ボタン４の構造，形状を表わす画像であって、これにボタンの名称「決定」，「戻る」，「メニュー」，「ナビ」もしくはボタンにあらわされているマークなどとともに、ボタン表示の右側に夫々に付与されている機能も併記されている。例えば、「決定」ボタン７に対しては、そのボタン表示内にボタン名称の「決定」もしくは「決定」ボタン７に表記されているマークなどが表示されて「決定」ボタン７に対する画像であることが示され、さらに、「決定」ボタン画像７ａの右側に付与された機能を表わす「決定」という文字が表示されることにより、このときの「決定」ボタン７は決定機能を有していることが示される。
【００５７】
また、シャトル画像２ａはシャトル２の形状，構造を表わす画像として拡大して表示され、これにこのシャトル２で付加されている機能「選択」も、回転する方向を示す矢印とともに、表示されている。この「選択」はメニュー画面３８に設けれた項目を選択する機能、即ち、カーソル４４ａを上下に移動させる機能を表わすものであって、かかるシャトル画像２ａの表示からカーソル４４ａを移動させるには、シャトル２を回転操作すればよいことが明らかとなる。
【００５８】
このように表示される操作ボタン画像（シャトル画像２ａやジョグ画像３ａも含む。以下同様）は、このメニュー画面３８で機能付けられて使用可能な操作ボタンに対する画像であり、これら表示される画像に対する操作ボタン以外の操作ボタンは、このメニュー画面３８に対して機能が付与されておらず、従って、このメニュー画面３８の操作に使用することができない。
【００５９】
なお、シャトル２の内側にジョグ３が設けられているが、メニュー画面３８でのシャトル画像２ａの内側にはなにも表示されていないから、このメニュー画面３８の操作には、ジョグ３は使用できないことになる。
【００６０】
図７（ａ）に示す状態で、シャトル画像２ａを基にシャトル２を回転する操作をすると、図７（ｂ）に示すように、カーソル４４ａが次の項目に移り、「アラーム設定」の項目が選択された状態となる。さらに、シャトル２を回転操作すると、カーソル４４ａが移動して「ハードディスク」→「ＰＣカード」→「モードロック解除」と順に項目が選択されていく。
【００６１】
図８（ａ）に示すメニュー画面３８（これは、図７（ａ）に示すメニュー画面３８と同じ）で「決定」ボタン７（図１）を操作すると、「一般設定」の項目が選択決定され、図８（ｂ）に示す一般設定画面４５がディスプレイ装置３４（図３）に表示される。この一般設定画面４５では、この「一般設定」の下位項目、例えば、アラーム入力があってからのハードディスク装置２９（図２）への記録時間を設定するための「記録時間」，記録する映像の「画質」を、例えば、標準，高画質などというように変更可能とする「画質」，マイクロホンからの音声信号も映像とともに記録するか否かを決めるための「音声」，ハードディスク装置２９での記録可能な残量がどの程度になると、警告を発するかを決定するための「残量警告」といったような選択項目が設けられている。
【００６２】
このため、これら「記録時間」，「画質」，「音声」，「残量警告」の項目では、その設定される内容をジョグ３の操作によって変更することができる。「記録時間」，「画質」，「音声」，「残量警告」の項目の現在表示されている内容は現在設定されているものであり、例えば、アラーム入力に対するハードディスク装置２９への映像情報の記録は、０時間３分、即ち、３分間に設定されている。所定の項目の内容を変更したい場合には、シャトル２を操作してこの所定の項目にカーソル４４ｂを合わせてこの項目の選択を行なう。このときのカーソル４４ｂは枠状のカーソルであって、内容の変更が行なわれる項目に合わせた場合、カーソルはかかる枠状のカーソル４４ｂに変更される。これとともに、ジョグ３にこの項目の内容変更の機能が付与される。一般設定画面４５の操作ボタン画像表示領域３９には、シャトル画像２ａの内側にジョグ３に付与された機能「変更」が表記され、これにより、このジョグ３に対するジョグ画像３ａがシャトル画像２ａの内側に表示されることになる。
【００６３】
シャトル２の操作により、例えば、カーソル４４ｂを「画質」の項目に移動させてこの項目を選択すると、この枠状のカーソル４４ｂの内側にこの項目の内容が表示される。そして、ジョグ３を回転操作すると、その内容が現在設定されている、例えば、「ＳＴＡＮＤＥＲＤ（標準）」から高画質，……などへと順番に変更され、必要な内容が表示された状態で「決定」ボタン７を操作すると、これが選択決定されてこの内容の画質が設定されることになる。このように、一般設定画面４５では、ジョグ３にその回転によって選択項目の内容を変更する機能が付与されているため、ジョグ画像３ａには、その機能を表わす「変更」という表記がなされ、かつジョグ３の操作の仕方（即ち、回転操作方向）を示す矢印が示されている。
【００６４】
この一般設定画面４５の操作ボタン画像表示領域３９では、図８（ａ）に示すメニュー画面３８で表示されるのと同様のボタン画像２ａ，７ａ，６ａ，８ａ，４ａが表示されるとともに、内容変更がなされる項目が選択されたとき（このとき、カーソルは枠状のカーソル４４ｂとなる）、シャトル画像２ａの内側にジョグ画像３ａが表示される。
【００６５】
以上のように、下位に異なる項目が展開されるようなツリー構造の階層関係にある上位の項目に対しては、これを選択すると、カーソルは、図８（ａ）に示すように、ベタ黒のカーソル４４ａとなって、ジョグ画像３ａは表示されず、また、その内容が展開されていてその１つが選択できるようにした項目に対しては、カーソルは、図８（ｂ）に示すように、枠状のカーソル４４ｂとなって、ジョグ画像３ａが表示される。
【００６６】
なお、図８（ａ）に示すメニュー画面３８においても、内容を選択する項目が含まれ、これが選択された場合には、枠状のカーソル４４ｂが表示されてシャトル画像２ａの内側にジョグ画像３ａが表示されることになり、また、図８（ｂ）に示す一般設定画面４５において、下位の項目が展開されている項目が含まれ、これが選択された場合には、ベタ黒のカーソル４４ａが表示されてジョグ画像３ａは表示されないことになる。
【００６７】
また、以上のメニュー画面３８や一般設定画面４５では、項目の選択や項目の内容変更の操作を間違いなく、速やかに行なうことができるようにするために、シャトル画像２ａやジョグ画像３ａを拡大して表示することにより、かかる操作をするボタンが即座に判るようにしている。
【００６８】
図９はメニュー画面３８での他の操作例として、「ＰＣカード」の項目を選択決定する場合を示している。
【００６９】
即ち、アラーム入力に伴う映像情報やその他の映像情報が記録されたＰＣカードをカードスロット２０（図２）に装着し、図９（ａ）に示すメニュー画面３８をディスプレイ装置３４に表示させて、シャトル画像２ａを基にシャトル２（図１）を操作してカーソル４４ａを「ＰＣカード」の項目に合わせ、次いで、「決定」ボタン画像７ａを基に「決定」ボタン７（図１）を操作すると、ＰＣカードから映像情報が読み出され、図９（ｂ）に示すＰＣカード再生画面４６がディスプレイ装置３４に表示される。
【００７０】
ここで、ＰＣカードには、ハードディスク装置２９から読み出されたアラーム入力毎の映像情報や他の装置から取り込んだ映像情報が記録されており、図９（ａ）に示すメニュー画面３８で「ＰＣカード」の項目が選択決定されると、このＰＣカードに記録されている最初の映像情報（例えば、最も新しく記録された映像情報）の特定の１フィールド（または、１フレーム）の画像が代表画像として読み出され、ディスプレイ装置３４に表示される。図９（ｂ）はその状態を示している。
【００７１】
また、このＰＣカード再生画面４６では、その下辺側に設けられた操作ボタン画像表示領域３９にシャトル画像２ａと「決定」ボタン画像７ａと「戻る」ボタン画像６ａとが表示され、このときには、シャトル２と「決定」ボタン７と「戻る」ボタン６とが有効であることを示している。そして、シャトル２はＰＣカードに記録されている映像情報の選択機能が付与されるものであり、このために、シャトル画像２ａの右側に「選択」の表記がなされている。また、「決定」ボタン７は映像の再生機能が付与されるものであり、このため、「決定」ボタン画像７ａの右側に「再生」の表記がなされ、「戻る」ボタン６は再生の中止機能が付与されるものであり、このため、「戻る」ボタン画像６ａの右側に「中止」の表記がなされている。また、ＰＣカードからの再生映像の表示領域をできる限り大きくするために、これらシャトル画像２ａと「決定」ボタン画像７ａと「戻る」ボタン画像６ａとは、見るのに支障を来さない程度に小さくして操作ボタン画像表示領域３９の高さ幅を小さくしている。なお、シャトル画像２ａでの中心部の黒丸は、ジョグ３が機能していないことを示している。
【００７２】
そこで、シャトル画像２ａを基にシャトル２を回転操作すると、ＰＣカードから一連の映像情報の代表画面が順番に読み出されてＰＣカード再生画面４６で表示され、これにより、再生したい映像情報を選択することができる。この読み出し順序は、シャトル２の回転方向によって切り替えることができる。希望する映像情報が見つかり、「決定」ボタン画像７ａを基に「決定」ボタン７（図１）を操作すると、この希望する映像情報のＰＣカードからの読み出しが開始され、これがＰＣカード再生画面４６で表示される。そして、この再生中「戻る」ボタン画像６ａに基づいて「戻る」ボタン６を操作すると、ＰＣカードからの再生が中止して図９（ａ）に示すメニュー画面３８に戻る。あるいはまた、「戻る」ボタン６を操作すると、次の映像情報の代表画像が表示された状態となり、シャトル２の操作によって次の映像情報の検索をすることができるようにすることもできる。この場合、図９（ａ）に示すメニュー画面３８に戻すためには、「戻る」ボタン６を再度操作すればよい。
【００７３】
ここで、ハードディスク装置２９について説明する。
【００７４】
上記のように、センサ３５（図３）が異常を検出してＣＰＵ２４（図２）にアラーム入力があると、ＣＰＵ２４はハードディスク装置２９に監視カメラ３０〜３３からの映像情報の記録を行なわせるが、また、装置本体１の「録画」ボタン１１の操作によっても、記録を行なわせる。従って、任意のタイミングでハードディスク装置２９に記録を行なわせることができる。また、「再生」ボタン９を操作することにより、ハードディスク装置２９の再生を行なわせることができるし、「一時停止」ボタン１０を操作することにより、録画や再生の一時停止をさせることができ、「停止」ボタン１２を操作することにより、録画や再生を停止させることができる。
【００７５】
また、再生に際しては、例えば、図７（ａ）に示されるようなメニュー画面３８で「ハードディスク」の項目を選択決定することにより、加減速再生やコマ送り再生の機能も実現することができる。以下、この点について説明する。
【００７６】
図１０はメニュー画面３８で「ハードディスク」の項目を選択決定したときのハードディスク再生画面４７の一具体例を示すものであって、ハードディスク装置２９からの再生映像に操作ボタン画像表示領域３９が付加されたものである。
【００７７】
かかるハードディスク画面４７は、上記の「再生」ボタン９を操作する前にメニュー画面３８で「ハードディスク」の項目を選択決定しても、「再生」ボタン９を操作するとともにディスプレイ装置３４で表示されるし、また、既に「再生」ボタン９が操作されて再生表示がなされているときに（このときには、ハードディスク装置２９からの再生映像のみが表示されている）、メニュー画面３８を表示させて「ハードディスク」の項目を選択しても、表示される。
【００７８】
このハードディスク再生画面４７では、ハードディスク装置２９からの再生画像が表示されるとともに、この画面４６の下辺側にシャトル画像２ａとジョグ画像３ａとが表示された操作ボタン画像表示領域３９が設けられる。ここでは、この再生画像の表示領域を大きくするために、これらシャトル画像２ａ及びジョグ画像３ａを小さく表示して操作ボタン画像表示領域３９を狭く表示しており、かつジョグ画像３ｂも見易くするために、シャトル画像２ａとは別に表示している。さらに、シャトル画像２ａとジョグ画像３ａとを明確に区別できるようにするために、シャトル２とジョグ３との配置関係から、シャトル画像２ａをその内側のジョブ３に対応する部分を黒く塗りつぶした表現とし、また、ジョブ画像３ａをその外側のシャトル２に対応する部分を黒く塗りつぶした表現としている。
【００７９】
また、このハードディスク再生画面４７の場合のシャトル２には、加減速再生の機能が付加されており、ジョブ３には、コマ送り／コマ戻しの機能が付加されている。従って、シャトル画像２ａの右側には、その機能「加減速再生」が併記されており、ジョブ画像３ａの右側には、その機能「コマ送り／戻し」が併記されている。
【００８０】
なお、上記のように、ハードディスク装置２９には、上記のように、監視カメラ３０〜３３（図３）からの映像信号がスキップ記録されているが、加減速再生とは、ハードディスク装置２９での再生速度を可変とするとともに、これから実際に再生されるフィールド（または、フレーム）間に補充する画像数（フィールドもしくはフレーム数）をこの再生速度に応じて変化させることにより、ハードディスク再生画面４７に表示される画像の時間的変化（動き）の速さを変化させるものである。再生方向（即ち、通常再生と逆転再生）は、シャトル２の回転方向によって切り替えることができる。また、コマ送りはジョグ３の所定角度の回転毎にハードディスク装置２９から１画像（即ち、１フィールドまたは１フレーム）ずつ再生してハードディスク再生画面４７に静止画として表示させるものである。従って、ある静止画が表示されていて次の静止画を見たい場合には、ジョグ３を所定角度さらに回転させることにより、ハードディスク装置２９から次の画像が読み出されてハードディスク再生画面４７に表示される。勿論、ジョグ３の回転方向に応じて、コマ送りとコマ戻しとが切り替えられる。
【００８１】
なお、図１０は、ハードディスク再生画面４７に１つの映像情報だけが表示されるフルモードの場合を示している。フルモードでは、このように、監視カメラ３０〜３３のうちの特定の監視カメラからの映像情報を再生して表示するようにしてもよい。ハードディスク装置２９からの再生に際しても、「フル／マルチ」切替ボタン１７（図１）の操作により、マルチモードを設定することもでき、この場合には、図７に示す映像画面３７のように、各監視カメラ３０〜３３からの映像情報を同時に表示させるようにすることができる。
【００８２】
このようにして、シャトル２やジョグ３に再生に用いる機能を付加するものであって、これにより、ハードディスク装置２９の操作のためのハードボタンの設置数を低減することができ、操作ボタンを余裕をもって配置することができて操作がし易くなるし、また、装置本体１の小型化，低コスト化も図れる。
【００８３】
なお、以上の各画面において、操作ボタン画像表示領域３９をその画面の下辺側に設けるようにしたが、これに限るものではなく、例えば、右辺側など他の場所に設定されるようにしてもよいことはいうまでもない。
【００８４】
このようにして、この実施形態では、現時点で表示される画面で操作を必要とする操作ボタンのみに対し、その操作ボタンの名称やマークなどとこれに付与されている機能とが併記されたボタン画像が表示されるので、そのとき機能しない操作ボタンの無駄な操作をなくすことができるし、どの操作ボタンを操作すれば、どのような機能が得られるかを数少ない限られたボタン画像から知ることができて、使用すべき操作ボタンを容易に見つけ出すことができる。
【００８５】
【発明の効果】
以上説明したように、本発明によると、センサが検出する状況に応じた選択項目を表わす選択画面を表示させる操作ボタンを設けることにより、操作者は異常発生時や緊急時などの操作方法を容易に把握することができ、適切な処理を素早くかつ確実に行なうことができる。
【図面の簡単な説明】
【図１】図１は本発明による監視用記録再生装置の一実施形態の装置本体を示す外観図である。
【図２】図１に示す実施形態の回路構成の要部を示すブロック図である。
【図３】図１に示す実施形態を用いた監視装置の一具体例を示す構成図である。
【図４】図３に示す監視装置での監視カメラからの映像の表示状態を示す図である。
【図５】図１に示す装置本体の動作の一具体例を示すフローチャートである。
【図６】図５に示す動作の過程で図３におけるディスプレイ装置で表示される画面の一具体例を示す図である。
【図７】図６に示すメニュー画面での項目の選択操作の一具体例を示す図である。
【図８】図６に示すメニュー画面での項目の選択決定操作の一具体例を示す図である。
【図９】図６におけるメニュー画面での項目の選択決定操作の他の具体例を示す図である。
【図１０】図６におけるメニュー画面での項目の選択決定操作のさらに他の具体例を示す図である。
【符号の説明】
１  監視用記録再生装置の装置本体
１ａ  前面部
１ｂ  背面部
２  シャトル
２ａ  シャトル画像
３  ジョグ
３ａ  ジョグ画像
４  「ナビ」ボタン
４ａ  「ナビ」ボタン画像
５  「検索」ボタン
６  「戻る」ボタン
６ａ  「戻る」ボタン画像
７  「決定」ボタン
７ａ  「決定」ボタン画像
８  「メニュー」ボタン
８ａ  メニューボタン画像
９  「再生」ボタン
１０  「一時停止」ボタン
１１  「録画」ボタン
１２  「停止」ボタン
１３〜１６  「カメラ」ボタン
１７  「フル／マルチ」切替ボタン
１８  「画面表示自動切替」ボタン
１９  カード取出ボタン
２０  カードスロット
２３  映像／音声端子
２４  ＣＰＵ
２５  入力部
２７  信号入出力部
２９  ハードディスク装置
３０〜３３  監視カメラ
３４  ディスプレイ装置
３５  センサ
３７  映像画面
３８  メニュー画面
３９  操作ボタン画像表示領域
４０  サーチ方法選択画面
４１  ヘルプ画面
４２，４３  アラーム画面
４４ａ，４４ｂ  カーソル
４５  一般設定画面
４６  ＰＣカード再生画面
４７  再生画面
【図１】
2004242184.tif 000003
【図２】
2004242184.tif 000004
【図３】
2004242184.tif 000005
【図４】
2004242184.tif 000006
【図５】
2004242184.tif 000007
【図６】
2004242184.tif 000008
【図７】
2004242184.tif 000009
【図８】
2004242184.tif 000010
【図９】
2004242184.tif 000011
【図１０】
2004242184.tif 000012